(57)【要約】【課題】  短い期間内に、安価な経費で、しかも安全に煙突内を清掃することのできる煙突内洗浄用装置ないし洗浄工法を提供すること。【解決手段】  一端に洗浄ノズル用ワイヤ取付部、他端に架台引上ワイヤ取付部を備えた上面部と、この上面部の洗浄ノズル用ワイヤ取付部側に、上面部面にほぼ直角となるように取り付けられた脚部と、上面部の架台引上ワイヤ取付部側端下部に曲面形状部とを備える洗浄ノズル吊上用架台およびこれを用いる煙突内面洗浄工法。【選択図】  図２
2006258360.tif 000002
【特許請求の範囲】
【請求項１】
一端に洗浄ノズル用ワイヤ取付部、他端に架台引上ワイヤ取付部を備えた上面部と、この上面部の洗浄ノズル用ワイヤ取付部側に、上面部面にほぼ直角となるように取り付けられた脚部と、上面部の架台引上ワイヤ取付部側端下部に曲面形状部とを備える洗浄ノズル吊上用架台。
【請求項２】
上面部が、上下に重なった２つの平面部分より構成され、上側の平面部分に一端に洗浄ノズル用ワイヤ取付部が、下側の平面部分に架台引上ワイヤ取付部がそれぞれ設けられ、２つの平面部分は、相互に摺動可能であり、上側の平面裏側と、脚部との間には位置調整機構が設けられている請求項１記載の洗浄ノズル吊上用架台。
【請求項３】
上側の平面裏側と、脚部との間に設けられた位置調整機構により、洗浄ノズル用ワイヤ取付部を煙突の中心に調整可能な請求項２記載の洗浄ノズル吊上用架台。
【請求項４】
架台引上ワイヤが、上面部に設けた架台引上ワイヤ取付部と、曲面形状部に設けられた取付部の２箇所で結合されるものである請求項１ないし３の何れかの項記載の洗浄ノズル吊上用架台。
【請求項５】
次の工程（１）ないし（５）を含むことを特徴とする煙突内面洗浄工法。
（１）予め、架台引上ワイヤを煙突内から排煙口を通り、煙突外に通す工程、
（２）架台引上ワイヤの煙突外の端を外部ウィンチに接続した後、架台引上ワイヤの煙突
内の端を請求項１記載の洗浄ノズル吊上用架台の架台引上ワイヤ取付部に接続する工
程、
（３）外部ウィンチを巻き取ることにより、架台引上げワイヤにより洗浄ノズル吊上用架
台を煙突内部から煙突塔頂に引上げ、着座させる工程、
（４）外部ウィンチを牽引固定することにより、洗浄ノズル吊上用架台を煙突塔頂に固定
する工程、
（５）固定された洗浄ノズル吊上用架台の洗浄ノズル用ワイヤ取付部にウィンチワイヤを
介して取り付けられた、電動ウィンチと回転ノズルが一体となった洗浄機構を、離れ
た位置から操作し、煙突内面の所望の部分を洗浄する工程。
【請求項６】
洗浄ノズル吊上用架台を煙突塔頂に固定する工程の後、請求項２記載の洗浄ノズル吊上用架台の上側の平面裏側と、脚部との間に設けられた位置調整機構により、洗浄ノズル用ワイヤ取付部を煙突の中心に位置調整する工程を含む請求項第５項記載の煙突内面洗浄工法。
【発明の詳細な説明】
【技術分野】
【０００１】
本発明は、洗浄ノズル吊上用架台およびこれを用いる煙突内面の洗浄工法に関する。
【０００２】
焼却炉等の煙突は、定期的に、あるいは解体前に内面に蓄積した煤等の汚れを清掃することが必要となるが、現在、このような汚れの清掃は、水配管と結合した洗浄ノズルを上下させて洗浄することが一般的である。
【０００３】
そして、この洗浄ノズルを操作するために、従来は、煙突を足場で囲い、上部足場上に滑車またはウィンチを設置し、これらを用いて高所作業で洗浄することが多かった。また、足場を使わない工法として、大型のクレーンを用いて洗浄ノズルの上下を行なう方法も行われていた。更に、一部では、煙突内面を自走できる機構を持たせた洗浄装置も開発されていた。
【０００４】
しかしながら、従来の洗浄技術は、足場を組み、大型クレーンが必要となるなど、高所作業の危険性や、準備期間も長く、かつ、高コストであるという問題があった。また、自走式の洗浄装置は、危険性や準備期間の問題は少ないものの、装置が大きくなり、製作コストも高くなるという問題があった。
【発明の開示】
【発明が解決しようとする課題】
【０００５】
本発明は、上記実情に鑑みなされたものであり、短い期間内に、安価な経費で、しかも安全に煙突内を清掃することのできる煙突内洗浄用装置ないし洗浄工法を提供することをその課題とするものである。
【課題を解決するための手段】
【０００６】
本発明者らは前記課題を解決するため鋭意検討を行った結果、ロープにより煙突内部を引き上げることが可能で、しかも、煙突塔頂に固定可能な吊り上げ架台を案出した。そして、最初に煙突内から排煙口を通して煙突外に架台引上ワイヤを通し、これを使用して、前記吊り上げ架台を煙突塔頂に引き上げれば、この架台に取り付けた洗浄ノズルを利用し、簡単かつ経済的に煙突内部を洗浄できることを見出し、本発明を完成した。
【０００７】
従って本発明は、一端に洗浄ノズル用ワイヤ取付部、他端に架台引上ワイヤ取付部を備えた上面部と、この上面部の洗浄ノズル用ワイヤ取付部側に、上面部面にほぼ直角となるように取り付けられた脚部と、上面部の架台引上ワイヤ取付部側端下部に曲面形状部とを備える洗浄ノズル吊上用架台である。
【０００８】
また本発明は、次の工程（１）ないし（５）を含むことを特徴とする煙突内面洗浄工法である。
（１）予め、架台引上ワイヤを煙突内から排煙口を通り、煙突外に通す工程、
（２）架台引上ワイヤの煙突外の端を外部ウィンチに接続した後、架台引上ワイヤの煙突
内の端を請求項１記載の洗浄ノズル吊上用架台の架台引上ワイヤ取付部に接続する工
程、
（３）外部ウィンチを巻き取ることにより、架台引上げワイヤにより洗浄ノズル吊上用架
台を煙突内部から煙突塔頂に引上げ、着座させる工程、
（４）外部ウィンチを牽引固定することにより、洗浄ノズル吊上用架台を煙突塔頂に固定
する工程、
（５）固定された洗浄ノズル吊上用架台の洗浄ノズル用ワイヤ取付部にウィンチワイヤを
介して取り付けられた、電動ウィンチと回転ノズルが一体となった洗浄機構を、離れ
た位置から操作し、煙突内面の所望の部分を洗浄する工程。
【発明の効果】
【０００９】
本発明の洗浄ノズル吊上用架台は、足場や大型のクレーンを用いることなく、比較的小型の装置を用いるだけで、煙突塔頂に引上げ、着座、固定することが可能なものである。そして、この架台から電動ウィンチと回転ノズルが一体となった洗浄機構を吊り下げ、これを上下させて水等の洗浄液を噴出させることにより煙突内面を効率的に洗浄できる。
【００１０】
従って、上記架台を使用する本発明によれば、煙突内部を簡単かつ経済的に、しかも安全に洗浄することが可能である。
【発明を実施するための最良の形態】
【００１１】
以下、本発明の一実施態様を示す図面と共に、本発明を説明する。
【００１２】
図１は、本発明の洗浄ノズル吊上用架台（以下、「洗浄用架台」という）の構成を示す図面であり、図２は、洗浄用架台が煙突塔頂で着座するまでの過程を示す図面である。図中、１は洗浄用架台、２は上面部、３は脚部、４は曲面形状部、５は基部、６は架台引上ワイヤ取付部、７は洗浄ノズル用ワイヤ取付部、８は位置調整機構、９は架台引上ワイヤ、１０は外部ウィンチをそれぞれ示し、Ａは煙突壁（断面）、Ｂは煙道を示す。
【００１３】
図１に示すように、洗浄用架台１は、一端に洗浄ノズル用ワイヤ取付部（以下、「ノズルワイヤ取付部」という）７、他端に架台引上ワイヤ取付部（以下、「架台ワイヤ取付」という部）６を備えた上面部２と、この上面部２のノズルワイヤ取付部７側に、上面部２の面にほぼ直角となるように取り付けられた脚部３より構成される。また、上面部２の脚部３が取り付けられていない架台ワイヤ取付部６側には、曲面形状部４が設けられており、さらに、この曲面形状部４と脚部３の間には、基部５が設けられている。
【００１４】
そして、この洗浄架台１の上面部２は、好ましくは、相互に摺動可能な上下に重なった２つの平面部分２ａおよび２ｂより構成される。更に、上側の平面部分２ａの裏側と、脚部３との間には位置調整機構４を設けることが好ましく、これにより上側の平面部分２ａ（スライド板）に設けられたノズルワイヤ取付部７を、煙突中心（排煙口円周の中心）に位置させるよう調整することが可能になる。
【００１５】
ところで、この洗浄用架台１を煙突塔頂に引き上げるには、まず、架台引上ワイヤ９を煙突内から排煙口を通り、煙突外に通すことが必要である。このためには、直接架台引上ワイヤ９を使用するよりも、補助ロープを用い、図３に模式的に示すように煙突内部から排煙口を通り、煙突外に補助ロープを通すことが望ましい。図中、１０１はロープ打上機を１０２は補助ロープを示す。このロープ打上機１０１としては、圧縮空気銃等を利用したものが使用されるが、そのほかに、遠隔操作式の模型飛行船またはヘリコプター等を利用し、煙突外に補助ロープ１０２を通してもよい。このようにして煙突外に通された補助ロープ１０２は、その後架台引上ワイヤ９に交換され、当該ワイヤ９は、煙突外の端を図２に示すように外部ウィンチ１０に、また、煙突内の端を吊上架台１の架台ワイヤ取付部６に接続、結合する。
【００１６】
次いで、外部ウィンチ１０を作動させ、架台引上ワイヤ９を巻き取ることにより、洗浄用架台１は、煙突内側を引きずられるようにして引き上げられる。この際、洗浄用架台１は一方のみに脚部があるため、スムーズに煙突内壁に沿って引き上げられて行く（図２中、１'）。この引き上げの際、架台引上ワイヤ９が、上面部２に設けた架台引上ワイヤ取付部６と、曲面形状部４に設けられた取付部の２箇所で結合されていれば、より安定に引き上げが可能となる。
【００１７】
この洗浄用架台１が、煙突塔頂に到達したとき、洗浄架台１の脚部３の反対側には、曲面形状部４が設けられているため、スムーズに煙突内面から、煙突頂上角部を乗り越えて煙突塔頂面へ移動し（図２中、１”）、そして脚部３が煙突内面壁に接する点で着座する。なお、図２からも容易に理解できるように、上面部２の面積は、煙突排煙口を通り抜けられる大きさであることが必要である。
【００１８】
このように、洗浄用架台１が煙突塔頂に着座した時点で、外部ウィンチ１０の動きを止め、架台引上ワイヤ９を固定することにより、洗浄用架台１も固定される。
【００１９】
以上のようにして、煙突塔頂面に着座、固定された洗浄架台１を用いる洗浄は、図４に示すようにして行われる。図中、１１はウィンチワイヤ、１２はウィンチ、１３は回転ノズル、１４は高圧ホース、１５は操作ケーブルを示す。まず、洗浄用架台１には、煙突内の引き上げに先立ち、そのノズルワイヤ取付部７に、ウィンチワイヤ１１が取り付けられ、更にその先には、ウィンチ１２、回転ノズル１３および操作ケーブル１５よりなる洗浄機構が取り付けられている。そして、この洗浄機構は、洗浄架台１が着座した時点で、煙道Ｂ内に、ノズルワイヤ取付部７から、ウィンチワイヤ１１を介して垂れ下がる状態となる。
【００２０】
そして、この洗浄機構は、離れた位置から、操作ケーブル１５を操作することにより、ウィンチ１２の作動により煙突内を上下しながら、回転ノズル１３により、高圧ホース１４から供給される水等の洗浄液を煙突内に均一に散布、洗浄することが可能となる。洗浄機構を動かすウィンチ１２としては、電動ウィンチであっても、手動チェーンブロックであってもよい。
【００２１】
なお、煙突内壁のすべての面を均一に洗浄するためには、洗浄機構が煙突軸の中心を上下することが好ましいが、本発明の洗浄架台１として、洗浄架台１の上面部２が相互に摺動可能な上下に重なった２つの平面部分２ａおよび２ｂより構成され、上側の平面部分２ａの裏側と、脚部３との間には位置調整機構４を設けたものを使用すれば、この目的を達成することができる。
【００２２】
すなわち、排煙口の大きさが異なる煙突であっても、位置調節機構４で調節することにより、上側の平面部分２ａに設けられたノズルワイヤ取付部７を、煙突中心（排煙口円周の中心）に位置させるよう調整することが可能になり、この結果、洗浄機構は、煙突の軸上を上下に移動することが可能となるのである。
【産業上の利用可能性】
【００２３】
本発明によれば、簡単な装置のみの使用で、簡単かつ経済的に、しかも安全に煙突内部を洗浄することができる。
【００２４】
従って、焼却炉等の煙突の定期的な清掃や、煙突解体前の洗浄において有利に利用されるものである。
【図面の簡単な説明】
【００２５】
【図１】洗浄用架台の一態様を示す図面である。
【図２】洗浄用架台の引き上げ、着座までの状態を示す図面である。
【図３】ロープ打上機により、煙突外に補助ロープを通す状況を模式的に示した図面である。
【図４】本発明方法による煙突内面洗浄の状態を示す図面である。
【符号の説明】
【００２６】
１ … … 洗浄用架台
２ … … 上面部
３ … … 脚部
４ … … 曲面形状部
５ … … 基部
６ … … 架台引上ワイヤ取付部
７ … … 洗浄ノズル用ワイヤ取付部
８ … … 位置調整機構
９ … … 架台引上ワイヤ
１０ … … 外部ウィンチ
１１ … … ウィンチワイヤ
１２ … … ウィンチ
１３ … … 回転ノズル
１４ … … 高圧ホース
１５ … … 操作ケーブル
Ａ … … 煙突壁（断面）
Ｂ … … 煙道
【図１】
2006258360.tif 000003
【図２】
2006258360.tif 000004
【図３】
2006258360.tif 000005
【図４】
2006258360.tif 000006